(57)【要約】【課題】二つ折りにしてバーに掛けられるネクタイが、当該バーから滑り落ちるのを防止するための着脱容易な器具を提供する。【解決手段】滑落防止器具１は、同一平面上で、Ｓ字状に屈曲した棒状または板状体からなり、装着時にネクタイＮの大剣の表面に接してこれを横断する第１のバー２と、それの下方に間隔を置いてネクタイＮの小剣の裏面に接してネクタイＮを横断する第２のバー３と、それの下方に間隔を置いてネクタイＮの大剣Ｎ１の表面に接してネクタイＮを横断する第３のバー４と、第１のバー２と第２のバー２との間を接続するほぼU字状の第１の屈曲部５と、第２のバーと第３のバーとの間を接続するほぼU字状の第２の屈曲部６とを具備し、ネクタイＮへの装着状態を維持するに十分な摩擦力をもってネクタイＮに係合するように各部の寸法と重量が設定される。【選択図】図２
2008035893.tif 000002
【特許請求の範囲】
【請求項１】
上方において二つ折りにされてハンガに掛けられたネクタイ、スカーフのような布帛に装着され、布帛がハンガから滑り落ちるのを防止するための器具であって、
ほぼ同一平面上で、ほぼＳ字状に屈曲した棒状または板状体からなり、
装着時に布帛の一方の垂下部の表面に接してこれを横断する第１のバーと、
この第１のバーの下方に間隔を置いて布帛の他方の垂下部の裏面に接してこれを横断する第２のバーと、
この第２のバーの下方に間隔を置いて布帛の一方の垂下部の表面に接してこれを横断する第３のバーと、
第１のバーと第２のバーとの間を接続する第１の屈曲部と、
第２のバーと第３のバーとの間を接続する、第１の屈曲部と反対向きの第２の屈曲部とを具備し、
布帛への装着状態を維持するに十分な摩擦力をもって布帛に係合するように前記各部の寸法と重量が設定されることを特徴とするネクタイ等の滑落防止器具。
【請求項２】
前記第１のバー、第２のバー、第３のバーが全て平行であることを特徴とする請求項１に記載のネクタイ等の滑落防止器具。
【請求項３】
前記第１のバーと第２のバーとが平行で、第３のバーが第２のバーに対して先方に開くように傾斜していることを特徴とする請求項１に記載のネクタイ等の滑落防止器具。
【請求項４】
板状部材からなることを特徴とする請求項１ないし３に記載のネクタイ等の滑落防止器具。
【請求項５】
棒状部材からなることを特徴とする請求項１ないし３に記載のネクタイ等の滑落防止器具。
【発明の詳細な説明】
【技術分野】
【０００１】
この発明は、上方において二つ折りにされてハンガに掛けられたネクタイやスカーフ等の布帛に装着され、それがハンガから滑り落ちるのを防止するための器具に関する。
【背景技術】
【０００２】
従来、ネクタイは、水平に伸びるバーに二つ折りにして掛けられ、保管されるのが一般的である。この場合、ネクタイが滑り落ちやすいという問題点がある。スカーフ等の他の布帛においても同様である。この問題点を解消したネクタイ用ハンガとして、例えば図６に示すものが知られている（例えば特許文献１の図６参照）。しかしながら、このハンガ１１は、１本ずつのネクタイＮの着脱が面倒なためか、必ずしも広く普及していない。
【特許文献１】特開２００３−３２５３０１号公報
【発明の開示】
【発明が解決しようとする課題】
【０００３】
したがって、この出願に係る発明は、水平に伸びるバーに二つ折りにして掛けられ、保管されるネクタイ、スカーフ等の布帛が、当該バーから滑り落ちるのを防止するための着脱容易な器具を提供することを課題としている。
【課題を解決するための手段】
【０００４】
上記課題を解決するため、この出願に係る発明においては、ほぼ同一平面上で、ほぼＳ字状に屈曲した棒状または板状体からネクタイＮの滑落防止器具１を構成した。この滑落防止器具１は、装着時にネクタイＮの大剣Ｎ１の表面に接してこれを横断する第１のバー２と、この第１のバー２の下方に間隔を置いてネクタイＮの小剣Ｎ２の裏面に接してこれを横断する第２のバー３と、この第２のバー３の下方に間隔を置いてネクタイＮの大剣Ｎ１の表面に接してこれを横断する第３のバー４と、第１のバー２と第２のバー２との間を接続するほぼU字状の第１の屈曲部５と、第２のバーと第３のバーとの間を接続する、第１の屈曲部と反対向きのほぼU字状の第２の屈曲部６とを具備し、ネクタイＮへの装着状態を維持するに十分な摩擦力をもってネクタイＮに係合するように各部の寸法と重量が設定される。
【発明の効果】
【０００５】
この出願に係る発明によれば、ネクタイの正面にほぼ平行に回転させるように操作することで、任意の方向から容易に装着、離脱できる構造簡単なネクタイの滑落防止器具が提供できる。
【発明を実施するための最良の形態】
【０００６】
図面を参照してこの発明の実施の形態を説明する。図１は滑落防止器具の正面図、図２はネクタイへの装着状体の正面図、図３はネクタイへの装着状体の断面図、図４はネクタイへの装着状体の背面図、図５はネクタイへの装着手順を示す正面図である。
【０００７】
図２，３に示すように、滑落防止器具１は、上方において二つ折りにされてハンガＨに掛けられたネクタイＮに装着され、ネクタイＮがハンガＨから滑り落ちるのを防止するための器具である。
【０００８】
滑落防止器具１は、ほぼ同一平面上で、ほぼＳ字状に屈曲した合成樹脂製の板状体からなる。滑落防止器具１は、装着時にネクタイＮの大剣Ｎ１の表面に接してこれを横断する第１のバー２と、この第１のバー２の下方に間隔を置いてネクタイＮの小剣Ｎ２の裏面に接してこれを横断する第２のバー３と、この第２のバー３の下方に間隔を置いてネクタイの大剣Ｎ１の表面に接してこれを横断する第３のバー４とを具備する。
【０００９】
第１のバー２と第２のバー３との間は、ほぼU字状の第１の屈曲部５で接続され、また第２のバー３と第３のバー４との間は、第１の屈曲部５と反対向きのほぼU字状の第２の屈曲部６で接続される。図１ないし図４の実施形態において、第１ないし第３のバー２，３，４は相互にほぼ平行に伸びる。
【００１０】
滑落防止器具１は、ネクタイへの装着状態を維持するに十分な摩擦力をもってネクタイに係合するように前記各部の寸法と重量が設定される。
【００１１】
滑落防止器具１は、ネクタイＮの表面にほぼ平行に回転させるように操作することで、任意の方向から容易に装着、離脱できる。すなわち、例えば、滑落防止器具１をネクタイＮへ装着する操作は、図５（ａ）〜（ｅ）に示す手順で行うことができる。第1のバー2を大剣Ｎ１の表面側、第2のバー3を裏面側に沿わせるように挿入し（ａ）、（ｂ）、左回転（ｂ）、させて、第3のバー４の先端を大剣Ｎ１の表面側に出し（ｃ）、第3のバー４を大剣Ｎ１の表面を滑らせるように、今度は右回転（ｃ）、（ｄ）させて、第1，第3のバー２，4がネクタイＮをほぼ水平に横断する位置（ｅ）に配置して装着が完了する。
大剣Ｎ１と小剣Ｎ２が、滑落防止器具１により重ねて拘束されるので、容易にずれ落ちることはない。第１のバー２と第３のバー４との間に、ネクタイの常時結び目となる箇所を配置すれば、当該部位が、第１のバー２と第３のバー４との間で緊張状態に保たれる結果、シワが引き延ばされる効果がある。
【００１２】
図６に示す他の実施形態においては、第１のバー２と第２のバー３とが平行で、第３のバー４が第２のバー３に対して先方に開くように傾斜している。第１のバー２と第３のバー４の先端部には、人の手をかたどった手形部７が設けられる。この実施形態の場合、第３のバー４が第２のバー３に対して先方に開いているので、ネクタイＮへの着脱がより容易になるし、手形部７により、人がネクタイを抱きしめている印象を看者に与え、贈答品等として販売促進効果がある。
【００１３】
屈曲部５、６は、鋭角に屈曲するものであっても円弧状に湾曲するものであってもよい。図示しないが、第２のバー３を、第１のバーまたは第３のバー４と平行でなく構成することができるし、板状の合成樹脂に代え、金属板、金属丸棒材で構成することもできる。したがって、ここにおいて、S字状とは、湾曲部が鋭角に屈曲する形状、表裏反転した形状、Z字状を含む。適用対象はネクタイに限定されるものではなく、例えばスカーフ等、他の布帛類を含む。
【産業上の利用可能性】
【００１４】
この発明は、上方において二つ折りにされてハンガに掛けられたネクタイやスカーフ等の布帛に装着され、それがハンガから滑り落ちるのを防止するための器具に適用される。
【図面の簡単な説明】
【００１５】
【図１】本発明に係る滑落防止器具の正面図である。
【図２】本発明に係る滑落防止器具のネクタイへの装着状体の正面図である。
【図３】本発明に係る滑落防止器具のネクタイへの装着状体の断面図である。
【図４】本発明に係る滑落防止器具のネクタイへの装着状体の背面図である。
【図５】本発明に係る滑落防止器具のネクタイへの装着手順を示す正面図である。
【図６】本発明に係る滑落防止器具の他の実施形態の正面図である。
【図７】従来のネクタイハンガの図である。
【符号の説明】
【００１６】
１      滑落防止器具
２      第１のバー
３      第２のバー
４      第３のバー
５      第１の屈曲部
６      第２の屈曲部
７      手形部
Ｎ      ネクタイ
Ｎ１    大剣
Ｎ２    小剣
【図１】
2008035893.tif 000003
【図２】
2008035893.tif 000004
【図３】
2008035893.tif 000005
【図４】
2008035893.tif 000006
【図５】
2008035893.tif 000007
【図６】
2008035893.tif 000008
【図７】
2008035893.tif 000009